(57)【特許請求の範囲】
【請求項１】
筐体と、
前記筐体に設けられた凹部と、
前記凹部を閉鎖する閉鎖部と、
前記凹部と前記閉鎖部との間に配置され、これらと密着する枠状の防水部材と、
前記筐体の外部から内部へ液体が通過不可能であるとともに、前記筐体の内部と外部との間で気体が通過可能である止水部材により覆われ、前記防水部材の外側に設けられた孔部と、を備えた携帯端末装置。
【請求項２】
請求項１に記載の携帯端末装置において、
前記止水部材は、ポリテトラフルオロエチレンを延伸加工したフィルムと、ポリウレタンポリマーとを複合化したものである携帯端末装置。
【請求項３】
請求項１に記載の携帯端末装置において、
前記筐体は電池パックの収容部をさらに備え、
前記凹部は前記電池パックの収容部の外側に設けられた携帯端末装置。
【請求項４】
請求項１または請求項３に記載の携帯端末装置において、
前記筐体に収容される回路基板と、
前記凹部の底面に設けられ、前記筐体の外部から前記回路基板へのアクセスを可能とする連通孔と、をさらに備え、
前記枠状の防水部材は前記連通孔を囲んで設けられた携帯端末装置。
【発明の詳細な説明】
【技術分野】
【０００１】
本発明は、筐体内の回路基板に隣接して電池パックが収容され、電池パックの給電部が筐体内の受電部に接続される携帯端末装置に関する。
【背景技術】
【０００２】
図１３に示すように、携帯端末装置５００は、例えば、筐体内の回路基板５０１にコネクタ部５０２が設けられ、コネクタ部５０２に接続された受電部５０４に電池パック５０５の給電部５０６が接続されている。この受電部５０４のなかには、複数の受電端子５０７が帯状に形成されたものが知られている。
【０００３】
受電部５０４は、各受電端子５０７が互いの厚み方向に沿って所定間隔を空けて配列されている（特許文献１）。
【先行技術文献】
【特許文献】
【０００４】
【特許文献１】特開２００８−９７９６１号公報（段落００３１、図２、図４）
【発明の概要】
【発明が解決しようとする課題】
【０００５】
ところで、近年、携帯端末装置５００の耐落下性能、耐衝撃性能の向上が求められつつある。
【０００６】
さらに、携帯端末装置５００が外回り業務で用いられる場合は、業務中に電池パックのバッテリが持たない場合があり、その場合には電池パックを交換する必要がある。加えて、外回り業務で用いられる携帯端末装置５００は、室内で用いられる場合と比べて防水、防塵性が要求され、防水・防塵性を高める工夫が要求される。
【０００７】
本発明は、前述した課題を解決するためになされたものであり、その目的は、電池パックの交換可能性と防水性、防塵性とのいずれも満足させることができる携帯端末装置を提供することにある。
【課題を解決するための手段】
【０００８】
本発明の携帯端末装置は、筐体と、前記筐体に設けられた凹部と、前記凹部を閉鎖する閉鎖部と、前記凹部と前記閉鎖部との間に配置され、これらと密着する枠状の防水部材と、前記筐体の外部から内部へ液体が通過不可能であるとともに、前記筐体の内部と外部との間で気体が通過可能である止水部材により覆われ、前記防水部材の外側に設けられた孔部と、を備えた。
【０００９】
また、本発明の携帯端末装置において、前記止水部材は、ポリテトラフルオロエチレンを延伸加工したフィルムと、ポリウレタンポリマーとを複合化したものである。
【００１０】
凹部に孔部を設け、気体を通過可能な止水部材で孔部を覆うようにした。よって、筐体に外圧が加わることにより筐体が変形して筐体の内部空間が減少したとき、内部空間の余剰空気が孔部から排出される。筐体に対する外圧が解除されることにより筐体が初期形状に復帰して内部空間が元の状態に復元する。内部空間が復元して負圧になることにより内部空間に孔部から外気が吸引され、内部空間の内圧が元の状態に復元する。一方、孔部を覆う止水部材は、筐体の外部から内部への液体を通過不可能とする機能を備えている。これにより、筐体に水しぶきや、雨水等がかかった場合に、かかった水等が筐体の内部に浸入することを止水部材で防止でき、筐体の防水性を維持できる。さらに孔部は、凹部において、防水部材よりも外側であって、かつ凹部を閉鎖部で閉鎖したときに閉鎖部に覆われる凹部の外周よりも内側にある。これにより本発明の携帯端末装置は、防水性および防塵性を有しながら、かつ非正規な手段によるデータの読み取りを防ぐという耐タンパ性も兼ね備えられる。
【００１１】
本発明の携帯端末装置において、前記筐体は電池パックの収容部をさらに備え、前記凹部は前記電池パックの収容部の外側に設けられる。
【００１２】
これにより、筐体に加わる負圧の影響を受けて、電池パックを収容するパック開口部（電池パックの収容部）から液体や粉塵が侵入することを防止し、電池パックの給電部は外部からの液体や粉塵にさらされることがないので、電池パックは、交換可能でありながら、かつ防水性および防塵性を確保することができる。
【００１３】
本発明の携帯端末装置は、前記筐体に収容される回路基板と、前記凹部の底面に設けられ、前記筐体の外部から前記回路基板へのアクセスを可能とする連通孔と、をさらに備え、前記枠状の防水部材は前記連通孔を囲んで設けられる。
【００１４】
これにより、電池パックの収容部のみならず、連通孔からの液体や粉塵の侵入も防止し、かつ非正規な手段によるデータの読み取りを防ぐという耐タンパ性を確保することができる。そして、防水性、防塵性、耐タンパ性を確保し、負圧の影響を受けないようにしながら、かつ所望のモジュールを取り付けまたは可能とすることができる。
【発明の効果】
【００１５】
本発明の携帯端末装置によれば、受電部にフレキシブル回路基板を介してコネクタ部を接続し、フレキシブル回路基板の屈伸部を受電部およびコネクタ部の配列方向に沿って屈伸可能とした。これにより、屈伸部を屈伸させて受電部の動きを吸収し、受電部の動きをコネクタ部に伝えないようにしてコネクタ部に損傷が生じることを防止できる。
【図面の簡単な説明】
【００１６】
【図１】本発明に係る第１実施形態の携帯端末装置を表面側から見た状態示す斜視図
【図２】図１の携帯端末装置を裏面側から見た状態示す斜視図
【図３】図２の携帯端末装置に備えた筐体を分割した状態を示す分解斜視図
【図４】図３の携帯端末装置からカバーを除去した状態を示す分解斜視図
【図５】第１実施形態の携帯端末装置から蓋部を外した状態を示す平面図
【図６】図５の携帯端末装置を破断した状態を示す断面図
【図７】図３のＩ部拡大図
【図８】図７の受電部およびフレキシブル回路基板等を矢印ＩＩ方向から見た状態を示す矢視ＩＩ図
【図９】第１実施形態の携帯端末装置に所望のモジュールを取り付ける前の状態を示す斜視図
【図１０】第１実施形態の携帯端末装置に所望のモジュールを取り付けた状態を示す斜視図
【図１１】本発明に係る第２実施形態のフレキシブル回路基板を示す斜視図
【図１２】本発明に係る第３実施形態のフレキシブル回路基板を示す斜視図
【図１３】図５の携帯端末装置を示す斜視図
【発明を実施するための形態】
【００１７】
以下、本発明の実施形態に係る携帯端末装置について図面を参照して説明する。なお、各図中のＸ軸は筐体１１の左右方向・Ｅ１−Ｅ２方向・Ａ方向、Ｙ軸は筐体１１の長手方向・上下方向・Ｂ方向、Ｚ軸の正方向は筐体１１の表面１１Ａ、Ｚ軸の負方向は筐体１１の裏面１１Ｂを示す。
【００１８】
（第１実施形態）
図１、図２に示すように、携帯端末装置１０は、略矩形体状に形成された筐体１１と、筐体１１の表面１１Ａに設けられた表示部１２と、筐体１１に収容される回路基板１３（図３参照）と、筐体１１に収容される電池パック１４とを備えている。
【００１９】
さらに、図３、図４に示すように、携帯端末装置１０は、筐体１１に保持される受電部１６と、電池パック１４に設けられた給電部１８と、給電部１８に一端部２１Ａが接続されたフレキシブル回路基板２１と、フレキシブル回路基板２１の他端部２１Ｂに接続されたコネクタ部２３とを備えている。
【００２０】
加えて、図５、図６に示すように、携帯端末装置１０は、筐体１１の裏面１１Ｂに設けられた凹部２５と、凹部２５の底面２５Ａに設けられた連通孔２６と、凹部２５を閉鎖する蓋部２７（閉鎖部、図３参照）と、連通孔２６を囲む防水部材２８（第２の防水部材）とを備え
ている。さらに、携帯端末装置１０は、底面２５Ａに設けられた孔部３１と、孔部３１を覆う止水部材３２とを備えている。
【００２１】
図１、図２に戻って、筐体１１は、表示部１２を収容する開口部３７（図６参照）を有するケース３５と、ケース３５に重ね合わされて表示部１２の反対側の裏面（筐体１１の裏面）１１Ｂを形成するカバー３６とを備えている。
【００２２】
ケース３５は、表面（すなわち、筐体１１の表面）１１Ａに開口部３７が形成されている。この開口部３７に表示部１２が設けられている。カバー３６は、筐体１１における表示部１２とは反対側となる裏面１１Ｂに形成されたパック開口部３８と、パック開口部３８に隣接して形成された凹部２５（図６参照）とが形成されている。パック開口部３８に電池パック１４の表面１４Ａが露出され、凹部２５に蓋部２７（閉鎖部）が取り付けられる。
図３に示すように、蓋部２７は使用者が簡単に取り外すことができないように複数の締結ねじ５７で取り付けられている。蓋部２７を簡単に取り外すことができないようにすることにより、携帯端末装置１０は非正規な手段によるデータの読み取りを防ぐという耐タンパ性が備えられている。
【００２３】
回路基板１３は、略矩形状に形成され、ケース３５の上半部３５Ａに設けられている。電池パック１４は、上辺１４Ｂ、下辺１４Ｃおよび一対の側辺１４Ｄ、１４Ｅで平面視略矩形状に形成され、カバー３６のパック開口部３８を介して、ケース３５の下半部３５Ｂに収容されることにより回路基板１３に隣接して設けられる。電池パック１４のセル本体の格納部は、上辺１４Ｂ、下辺１４Ｃおよび一対の側辺１４Ｄ、１４Ｅにより囲まれ、かつ表面１４Ａと、それとは反対側にある裏面１４Ｆとの間に挟まれた部分にある。
【００２４】
電池パック１４の表面１４Ａの、筐体１１のパック開口部３８に取り付けられた状態における裏面１１Ｂ側から見た面積は、電池パック１４のセル本体の格納部のそれよりも大きい。そして、電池パック１４の表面１４Ａにおいて、上辺１４Ｂ、下辺１４Ｃおよび一対の側辺１４Ｄ、１４Ｅにより囲まれる部分よりも外側にある鍔部１５の裏側には、枠状の防水部材１７（第１の防水部材）が設けられている。
【００２５】
この枠状の防水部材１７は、筐体１１の裏面１１Ｂに形成されたパック開口部３８の内部に、液体や粉塵が侵入することを防ぐためのものである。枠状の防水部材１７は、電池パック１４の鍔部１５の裏側で、かつ上辺１４Ｂ、下辺１４Ｃおよび一対の側辺１４Ｄ、１４Ｅを取り囲んで設けられている。枠状の防水部材１７は、電池パック１４が筐体１１のパック開口部３８に取り付けられた状態において、パック開口部３８の側壁部と接して圧縮力を受ける。特に、筐体１１のカバー３６の最下部にある２つのロック機構１９で固定される部分の間において、枠状の防水部材１７の幅が、電池パック１４の下辺１４Ｃに沿って広くなっている（図６参照）。
【００２６】
この幅が広い部分は、上辺１４Ｂ、下辺１４Ｃおよび一対の側辺１４Ｄ、１４Ｅにより囲まれる電池パック１４のセル本体の格納部を挟んで、電池パック１４の上辺１４Ｂにある給電部１８とはちょうど反対側となっている。先の圧縮力は、この幅広部分において特に大きくなるので、その反発力により、電池パック１４の給電部１８と、携帯端末装置１０の筐体１１側にある受電部１６との接続が、より強固なものとなる。そして、給電部１８と受電部１６とが、液体や粉塵にさらされることを防ぐことができる。
【００２７】
受電部１６は、筐体１１の内部４１において略中央に保持された受電ケース４３と、受電ケース４３の給電部１８に対峙する面４３Ａに設けられた複数の受電端子４４（端子板）とを備えている。複数の受電端子４４は、受電部１６の受電ケース４３が有する一つの面に各一端がそれぞれ保持される。図６、図７に示すように、受電部１６は筐体１１内部
の厚さ方向（Ｚ軸方向）においてほぼ中央にある金属フレーム５０上に設けられた格納部５９に配置されている。さらに、矢印Ａ方向（矢印Ｘ方向）と直交する受電部１６の両端には緩衝部材４５（図８において受電部１６の両端にある矩形部分）が取り付けられている。そして、受電部１６が格納部５９に配置される際には、その緩衝部材４５が圧縮される。
【００２８】
図７、図８に示すように、複数の受電端子４４は、板状または帯状に形成され、各受電端子４４の互いの板厚方向（矢印Ａ方向（矢印Ｘ方向））に沿って所定間隔Ｓを空けて櫛歯状に配列されている。さらに、複数の受電端子４４は、回路基板１３の面方向、すなわち部品実装面と平行でかつ回路基板１３と電池パック１４との配列方向（筐体１１の長手方向、図２〜図６参照）、すなわち矢印Ｂ方向（矢印Ｙ方向）に対して直交する方向に沿って配置されている。言い換えれば、複数の受電端子４４は、それぞれ、平行する最も広い二面の一つが、隣接する受電端子の最も広い二面の一つと平行をなして、かつその最も広い二面に対して直交する方向、すなわち、これら複数の受電端子４４が配置される方向（矢印Ａ方向、矢印Ｘ方向）に沿って配置されている。
【００２９】
図４に戻って、給電部１８は、受電部１６に対峙する電池パック１４の上辺１４Ｂに設けられている。この給電部１８は、受電部１６と同様に、帯状に形成された複数の給電端子４６を備えている。複数の給電端子４６は、受電端子４４に対応させて接続可能に配列されている。
【００３０】
よって、電池パック１４が、カバー３６のパック開口部３８を介して、ケース３５の下半部３５Ｂにあるパック開口部３８に収容された状態で給電部１８が受電部１６に接続される。電池パック１４は、この給電部１８と受電部１６との接続部分と、筐体１１のカバー３６の最下部にある２つのロック機構１９（図３参照）により、パック開口部３８に固定される。この収容された状態において、受電部１６および給電部１８は、パック開口部側から見て、先に述べた電池パック１４の表面１４Ａの鍔部１５の裏側に設けられた枠状の防水部材１７（第１の防水部材）よりもパック開口部３８の内部、すなわち筐体１１の内部側にある。したがって、受電部１６および給電部１８は外部からの液体や粉塵にさらされることがないので、電池パック１４は、交換可能でありながら、かつ防水性および防塵性を確保することができる。
【００３１】
特に、第１実施形態の携帯端末装置１０が、外交活動における決済や集配、倉庫管理業務などのように、オフィスや営業所から離れた外部で長時間運用される場合、この点は重要である。それは、１個の電池パック１４だけでは、携帯端末装置１０を長時間駆動することが困難なためである。つまり、電池パック１４は、外部において交換可能でなければならない。なおかつ、このような場面において、携帯端末装置１０は外部で運用されるため、雨水や、風によって巻き上げられる粉塵などを受けやすい。よって、電池パック１４が筐体１１のパック開口部３８に収容されている状態においては、雨水などの液体や粉塵などが、給電部１８および受電部１６を有するパック開口部３８の内部に侵入しないようにする必要がある。本実施形態による上記の構成は、電池パック１４の交換可能性と防水性、防塵性とを、いずれも満足する。
【００３２】
図７、図８に示すように、フレキシブル回路基板２１は、受電部１６に一端部２１Ａが接続され、他端部２１Ｂがコネクタ部２３に接続されている。このフレキシブル回路基板２１は、受電部１６から筐体１１の長手方向へＵ字状に折り返す第１基板部４７と、第１基板部４７の端部４７Ａから筐体１１の短手方向にコネクタ部２３まで延びる第２基板部４８とを有する。
【００３３】
第２基板部４８は、受電部１６およびコネクタ部２３の配列方向（矢印Ａ方向（矢印Ｘ
方向））に沿って屈伸可能な屈伸部５１を有する。屈伸部５１は、第２基板部４８の所定位置がフレキシブル回路基板２１の厚み方向（矢印Ｃ方向（矢印Ｚ方向））に沿って隆起する部位５２を複数有することにより蛇腹状に形成されている。すなわち、フレキシブル回路基板２１は、受電部１６の複数の受電端子４４が配置される方向（矢印Ａ方向、矢印Ｘ方向）に沿って屈伸可能な屈伸部を有する。
【００３４】
第１実施形態では屈伸部５１として複数の隆起する部位５２を備えた例について説明するが、これに限らないで、屈伸部５１として一つの隆起する部位５２を備えることも可能である。
【００３５】
第２基板部４８に屈伸部５１を有することにより、受電部１６およびコネクタ部２３の配列方向（矢印Ａ方向（矢印Ｘ方向））に沿って屈伸部５１を屈伸させることができる。また、フレキシブル回路基板２１の厚み方向（図８に示す矢印Ｃ方向（矢印Ｚ方向））に沿って屈伸部５１を隆起させる形態とすることにより、屈伸部５１を折返し形状や、回路基板１３の部品実装面と平行に突出させた形態と比較して筐体１１の内部４１における占有空間を小さくできる。
【００３６】
コネクタ部２３は、回路基板１３に設けられ、フレキシブル回路基板２１を介して受電部１６に接続されている。このコネクタ部２３は、受電部１６に対して回路基板１３の部品実装面と平行で、かつ、各受電端子４４の配列方向（矢印Ａ方向（矢印Ｘ方向））に対して平行な方向に沿って配置されている。
【００３７】
ここで、図４に示すように、電池パック１４の給電部１８を受電部１６に接続した状態で携帯端末装置１０が落下等した場合について説明する。携帯端末装置１０の落下等の衝撃により回路基板１３に対して電池パック１４が移動し、電池パック１４に追従して受電部１６が筐体１１に対して受電端子４４の板厚方向（矢印Ａ方向（矢印Ｘ方向））に移動することが考えられる。
【００３８】
そこで、図７、図８に示すように、受電部１６およびコネクタ部２３を接続するフレキシブル回路基板２１に屈伸部５１を備え、屈伸部５１を受電部１６およびコネクタ部２３の配列方向に沿って屈伸可能とした。
【００３９】
よって、落下等の衝撃により電池パック１４に追従して受電部１６が受電端子４４の板厚方向（矢印Ａ方向（矢印Ｘ方向））に移動したとき、フレキシブル回路基板２１の屈伸部を屈伸させることができる。屈伸部５１が屈伸することにより受電部１６の矢印Ａ方向（矢印Ｘ方向）の動きを吸収し、受電部１６の動きをコネクタ部２３に伝えないようにできる。これにより、携帯端末装置１０の落下等の衝撃でコネクタ部２３が回路基板１３から外れることを防止できる。
【００４０】
また、受電部１６は回路基板１３への直付けによる直接的な接続ではなく、フレキシブル回路基板２１およびコネクタ部２３を介した間接的な接続となっている。このため、受電部１６に伝わる落下等の衝撃により、回路基板１３自体の破損を防ぐことができる。
【００４１】
さらに、先にも述べたように、矢印Ａ方向（矢印Ｘ方向）と直交する受電部１６の両端には緩衝部材４５（図８において受電部１６の両端にある矩形部分）が取り付けられている。そして、受電部１６が格納部５９に配置される際には、その緩衝部材４５が圧縮される。これにより、携帯端末装置１０の落下等の衝撃により電池パック１４に伝わる、受電部１６の受電端子４４が有する板厚方向（矢印Ａ方向（矢印Ｘ方向））への振動は緩和される。そして、このことによっても、受電部１６の動きをコネクタ部２３に伝えないようにすることができ、コネクタ部２３が基板から外れることを防止することができる。
【００４２】
また、受電部１６が有する板状の各受電端子４４が、帯状に形成され、各受電端子４４の互いの板厚方向（矢印Ａ方向（矢印Ｘ方向））に沿って所定間隔Ｓを空けて櫛歯状に配列されている。さらに、板状の各受電端子４４が、回路基板１３の部品実装面と平行でかつ回路基板１３と電池パック１４との配列方向（矢印Ｂ方向（矢印Ｙ方向））に対して直交する方向に沿って配置されている。板状の各受電端子４４は、回路基板１３の部品実装面と平行でかつ回路基板１３と電池パック１４との配列方向（矢印Ｂ方向（矢印Ｙ方向））に対しては、それらの板厚方向（矢印Ａ方向（矢印Ｘ方向））よりも広い面積を有している。そして、板状の各受電端子４４は、回路基板１３の厚み方向すなわちフレキシブル回路基板２１の厚み方向（図８に示す矢印Ｃ方向（矢印Ｚ方向））に対しても、それらの板厚方向（矢印Ａ方向（矢印Ｘ方向））よりも広い面積を有している。
【００４３】
したがって、携帯端末装置１０の落下等の衝撃により、これら矢印Ｂ方向（矢印Ｙ方向）または回路基板１３の厚み方向（図８における矢印Ｃ方向（矢印Ｚ方向））へ電池パック１４が動いても問題とはならない。複数の板状の受電端子４４を有する受電部１６と、電池パックの給電部１８との間の、これらの方向における接触面積は、各受電端子４４の板厚方向（矢印Ａ方向（矢印Ｘ方向））よりも広い。携帯端末装置１０の落下等の衝撃により、これらの方向において受電部１６と電池パック１４の給電部１８との相対位置が多少変わっても、受電部１６が有する板状の各受電端子４４と、電池パック１４の給電部１８との接触は維持される。
【００４４】
さらに、フレキシブル回路基板２１は、受電部１６から筐体１１の長手方向に沿ってＵ字状に折り返す第１基板部４７を有する。先に述べた矢印Ｂ方向（矢印Ｙ方向）または回路基板１３の厚み方向（図８における矢印Ｃ方向（矢印Ｚ方向））へ電池パック１４が動いたときに、受電部１６とコネクタ部２３との相対位置も変わる可能性がある。各受電端子４４の板厚方向（矢印Ａ方向（矢印Ｘ方向））への電池パック１４の動きについては、先ほど述べた第２基板部４８に設けられた屈伸部５１により吸収することが可能である。しかしながら、それ以外の、矢印Ｂ方向（矢印Ｙ方向）または回路基板１３の厚み方向（図８における矢印Ｃ方向（矢印Ｚ方向））、特に矢印Ｂ方向（矢印Ｙ方向）への電池パック１４の動きについては、この屈伸部５１だけでは吸収することが難しい場合がある。
【００４５】
これら矢印Ｂ方向（矢印Ｙ方向）または回路基板１３の厚み方向（図８における矢印Ｃ方向（矢印Ｚ方向））への電池パック１４の動きに対しては、フレキシブル回路基板２１の、特に受電部１６に近い側、すなわち第１基板部４７に設けられる、筐体１１の長手方向へのＵ字部または折り返し部が有効である。ここで、筐体１１の長手方向とは、回路基板１３の部品実装面と平行でかつ回路基板１３と電池パック１４との配列方向（矢印Ｂ方向（矢印Ｙ方向））のことである。また、この方向は、受電部１６が有する板状の各受電端子４４の板厚方向（矢印Ａ方向（矢印Ｘ方向））と直交し、かつ回路基板１３の部品実装面と平行な方向であるとも言える。さらに、先に述べた方向は、受電部１６が有する板状の各受電端子４４の延伸方向で、かつ回路基板１３の部品実装面と平行な方向と言うこともできる。そして、Ｕ字部は、フレキシブル回路基板２１の配線面と直交する方向（矢印Ｚ方向）からみてＵ字形状を有し、このフレキシブル回路基板２１の配線面および各受電端子４４（端子板）の最も広い二面と平行をなす方向（矢印Ｂ方向、矢印Ｙ方向）において、コネクタ部２３および屈伸部５１に対して、受電部１６とは反対側へ突出している。これにより、携帯端末装置１０の落下等により電池パック１４を介して伝わる衝撃を吸収する能力を、さらに高めることができる。
【００４６】
残る各受電端子４４の板厚方向（矢印Ａ方向（矢印Ｘ方向））については、先ほど述べたように、フレキシブル回路基板２１およびコネクタ部２３を介した、回路基板１３への間接的な接続形態を取ることにより、落下等の衝撃の影響が低減される。以上の構成によ
り、電源の供給が途絶えることを防止することができる。特に、本第１実施形態の携帯端末装置１０が、外交活動における決済や集配、倉庫管理業務などの重要なデータを扱う場合、それらの情報処理中やデータの一時的な保持中に電源の供給が途絶えることは致命的なデータの消失や破壊につながる。本第１実施形態の構成によれば、そのような致命的なデータの消失や破壊を防ぐことができる。
【００４７】
さらに、先にも述べたように、電池パック１４の表面１４Ａにある鍔部１５には、電池パック１４の交換可能性と、防水性および防塵性を共に確保するための枠状の防水部材１７が設けられている。この枠状の防水部材１７は、携帯端末装置１０の落下等により電池パック１４に加わる衝撃を和らげる機能も有する。すなわち、電池パック１４の表面１４Ａにある鍔部１５よりも、パック開口部３８の内部にある電池パック１４の給電部１８と、それに接続される携帯端末装置１０の本体側の受電部１６に加わる衝撃も緩和される。これにより、本第１実施形態の携帯端末装置１０は、電池パック１４の交換可能性と防水性、防塵性とをいずれも満足しながら、耐衝撃性も向上させることができる。
【００４８】
次に、図５、図６、図９および図１０を用いて、携帯端末装置１０が有する防水機能について述べる。図５、図６に示すように、カバー３６の裏面（筐体１１の裏面）１１Ｂにおいてパック開口部３８（図３参照）に隣接して凹部２５が設けられている。凹部２５は略矩形状に形成され、周壁２５Ｂに沿って底面２５Ａが、カバー３６よりも筐体１１の内側に形成されている。
【００４９】
この底面２５Ａに連通孔２６が設けられている。底面２５Ａに連通孔２６が設けられることにより筐体１１の内部４１および外部４２が連通されている。連通孔２６は、所望のモジュール（ガジェット）６０（図９参照）を取り付けるためのガジェット取付部である。モジュール６０は、筐体１１の内部にある回路基板１３や、その他の図示しない回路基板と、電気的に接続される。すなわち、この連通孔２６は、筐体１１の外部から、回路基板１３や、その他の回路基板へのアクセスを可能とするものである。
【００５０】
底面２５Ａにおいて連通孔２６を囲むように溝部５５が枠状に形成されている。この溝部５５に枠状の防水部材２８（第２の防水部材）が収容されることにより、防水部材２８で連通孔２６が囲まれている。凹部２５を蓋部２７（図３参照）で閉鎖すると、枠状の防水部材２８が、凹部２５の底面２５Ａと蓋部２７の裏面との間に配置され、これら両者と密着する。これにより、凹部２５が蓋部２７で閉塞され、かつ、連通孔２６が蓋部２７および防水部材２８で閉塞される。
【００５１】
また、凹部２５の底面２５Ａにおける防水部材２８の外側に孔部３１が設けられている。孔部３１は円形に形成され、止水部材３２で覆われている。孔部３１は、凹部２５の底面２５Ａにおいて、連通孔２６を囲む溝部５５に収容される防水部材２８（第２の防水部材）よりも外側であって、かつ凹部２５を蓋部２７（図３参照）で閉鎖したときに蓋部２７に覆われる凹部２５の外周よりも内側にある。
【００５２】
止水部材３２は、筐体１１の外部４２から内部４１へ液体が通過不可能で、かつ、筐体１１の内部４１と外部４２との間で気体が通過可能の機能を備えている。この止水部材３２は、一例として、ゴアテックス（商品名）が用いられる。ゴアテックスは、ポリテトラフルオロエチレンを延伸加工したフィルムと、ポリウレタンポリマーとを複合化して製造される。
【００５３】
このように、気体を通過可能な止水部材３２で孔部３１を覆うことにより、筐体１１に外圧が加わり筐体１１が変形して筐体１１の内部４１の空間が減少したとき、内部４１の空間の余剰空気が孔部３１から排出される。筐体１１に対する外圧が解除されることにより筐体１１が初期形状に復帰して内部４１の空間が元の状態に復元する。内部４１の空間が復元して負圧になることにより内部４１の空間に孔部３１から外気が吸引され、内部４１の空間の内圧が元の状態に復元する。これは、孔部３１が、凹部２５の底面２５Ａにおいて、連通孔２６を囲む溝部５５に収容される防水部材２８（第２の防水部材）よりも外側にあるためである。
【００５４】
一方、孔部３１、凹部２５の底面２５Ａにおいて、連通孔２６を囲む溝部５５に収容される防水部材２８（第２の防水部材）よりも外側にあるので、孔部３１の周辺には液体の侵入が可能である。しかしながら、孔部３１を覆う止水部材３２は、筐体１１の外部から内部への液体を通過不可能とする機能を備えている。これにより、筐体１１に水しぶきや、雨水等がかかった場合に、かかった水等が筐体１１の内部４１に浸入することを止水部材３２で防止でき、筐体１１の防水性を維持できる。また、この孔部３１を覆う止水部材３２は、筐体１１に加わる負圧の影響により、電池パック１４を収容するパック開口部３８（電池パック１４の収容部）からの液体や粉塵の侵入を防止する役割も果たしている。
【００５５】
ここで孔部３１は、例えばゴアテックス（商品名）のように、薄い樹脂からなる止水部材３２で覆われているだけである。この部分は簡単に破壊されやすいので、筐体１１の内部に収納される回路基板１３への不正なアクセスを許す可能性がある。しかしながら先にも述べたように、孔部３１は、凹部２５の底面２５Ａにおいて、連通孔２６を囲む溝部５５に収容される防水部材２８（第２の防水部材）よりも外側であって、かつ凹部２５を蓋部２７（図３参照）で閉鎖したときに蓋部２７に覆われる凹部２５の外周よりも内側にある。図３に示すように、蓋部２７は使用者が簡単に取り外すことができないように複数の締結ねじ５７で取り付けられている。蓋部２７を簡単に取り外すことができないようにすることにより、携帯端末装置１０は、防水性および防塵性を有しながら、非正規な手段によるデータの読み取りを防ぐという耐タンパ性も兼ね備えられる。
【００５６】
図９、図１０に示すように、蓋部２７（図３参照）は使用者の用途に応じてメーカが蓋部２７を外して、所望のモジュール（ガジェット、追加機能回路（閉鎖部））６０が連通孔２６に対応させてオプションとして取り付けられる。所望のモジュール６０は、例えば、磁気カードの磁気を読み取るカードリーダー等が挙げられる。これらのモジュール６０を取り付ける場合でも、使用者が簡単に取り外すことができないように複数の締結ねじ５７で取り付けられている。したがって、携帯端末装置１０は、防水性および防塵性を有しながら、耐タンパ性も兼ね備えられる。
【００５７】
このように、携帯端末装置１０によれば、所望のモジュール６０を取付け可能とし、さらに、筐体１１の防水・負圧防止や耐タンパの両立を確保できる。すなわち、電池パック１４を収容するパック開口部３８（電池パック１４の収容部）のみならず、連通孔２６からの液体や粉塵の侵入も防止する。そして、防水性、防塵性、耐タンパ性を確保し、負圧の影響を受けないようにしながら、かつ所望のモジュールを取り付けまたは可能とすることができる。
【００５８】
なお、第１実施形態では底面２５Ａの溝部５５に防水部材２８（第２の防水部材）を設けた例について説明したが、これに限らないで、蓋部２７の裏面に防水部材２８を設けることも可能である。
【００５９】
また、第１実施形態では、所望のモジュール６０が凹部２５の底面２５Ａに設けられた連通孔２６に対応させてオプションとして取り付けられる例について説明したが、これに限らないで、筐体１１の防水・負圧防止と耐タンパ性を両立させることができる。それは、モジュール６０がオプションとして取り付けられない場合である。この場合でも、筐体１１に加わる負圧の影響を受けて、電池パック１４を収容するパック開口部３８（電池パック１４の収容部）から液体や粉塵が侵入することを防止し、かつ耐タンパ性を確保する必要がある。
【００６０】
この場合、凹部２５の底面２５Ａには、モジュール６０を取り付けるための連通孔２６を設ける必要がなくなる。そのため、この連通孔２６を囲むとともに、凹部２５の底面２５Ａと蓋部２７の裏面との間に配置され、これらと密着する枠状の防水部材２８（第２の防水部材）を設ける必要もない。筐体１１は、筐体１１に設けられた凹部２５と、この凹部２５を閉鎖する蓋部２７と、凹部２５の底面２５Ａに設けられた孔部３１と、を備える。その孔部３１は、筐体１１の外部から内部へ液体が通過不可能であるとともに、筐体１１の内部と外部との間で気体が通過可能である止水部材３２により覆われている。そして、凹部２５は筐体１１において電池パック１４のパック開口部３８（電池パック１４の収容部）の外側に設けられていればよい。もし凹部２５が電池パック１４のパック開口部３８の内側にあると、電池パック１４は使用者によって簡単に取り外し可能であるため、止水部材３２が破られやすい。そうすると、非正規な手段によるデータの読み取りを防ぐことができない。したがって、凹部２５は筐体１１において電池パック１４のパック開口部３８（電池パック１４の収容部）の外側に設けられる。そうすれば、筐体１１に加わる負圧の影響により、電池パック１４を収容するパック開口部３８からの液体や粉塵の侵入を防止することができる。なおかつ、蓋部２７は使用者が簡単に取り外すことができないように複数の締結ねじ５７で取り付けられているので、携帯端末装置１０は非正規な手段によるデータの読み取りを防ぐという耐タンパ性も兼ね備えられる。
【００６１】
次に、第２実施形態および第３実施形態を図１１、図１２に基づいて説明する。なお、第２実施形態および第３実施形態において第１実施形態のフレキシブル回路基板２１と同一類似部材については同じ符号を付して説明を省略する。
【００６２】
（第２実施形態）
図１１に示すように、第２実施形態のフレキシブル回路基板７０は、第１実施形態の屈伸部５１を屈伸部７１に代えたもので、その他の構成は第１実施形態のフレキシブル回路基板２１と同様である。
【００６３】
屈伸部７１は、フレキシブル回路基板７０の所定位置が厚み方向（矢印Ｃ方向（矢印Ｚ方向））に沿って折り返された部位７２を有する。フレキシブル回路基板７０に屈伸部７１を有することにより、受電部１６およびコネクタ部２３の配列方向（矢印Ａ方向（矢印Ｘ方向））に沿って屈伸部７１を屈伸させることができる。
【００６４】
（第３実施形態）
図１２に示すように、第３実施形態のフレキシブル回路基板８０は、第１実施形態の屈伸部５１を屈伸部８１に代えたもので、その他の構成は第１実施形態のフレキシブル回路基板２１と同様である。
【００６５】
屈伸部８１は、フレキシブル回路基板８０の所定位置が回路基板１３の部品実装面と平行に隆起する部位８２を複数有することにより蛇腹状に形成されている。
【００６６】
フレキシブル回路基板８０に屈伸部８１を有することにより、受電部１６およびコネクタ部２３の配列方向（矢印Ａ方向（矢印Ｘ方向））に沿って屈伸部８１を屈伸させることができる。また、屈伸部８１を回路基板１３の面方向に沿って隆起させる形態とすることにより、筐体１１（図１参照）の内部４１の厚さ方向における占有空間を小さくできる。
【００６７】
なお、本発明に係る携帯端末装置は、前述した実施形態に限定されるものではなく適宜変更、改良等が可能である。例えば、前記第１実施形態〜第３実施形態で使用した携帯端末装置、筐体、表示部、回路基板、電池パック、受電部、給電部、フレキシブル回路基板、コネクタ部、凹部、連通孔、防水部材、孔部、止水部材、受電端子および屈伸部等の形状や構成は例示したものに限定するものではなく適宜変更が可能である。
【産業上の利用可能性】
【００６８】
本発明は、筐体内に回路基板が設けられ、回路基板に隣接して電池パックが収容され、電池パックの給電部が筐体内の受電部に接続される携帯端末装置への適用に好適である。
【符号の説明】
【００６９】
１０  携帯端末装置
１１  筐体
１１Ａ  筐体の表面
１２  表示部
１３  回路基板
１４  電池パック
１６  受電部
１８  給電部
２１、７０、８０  フレキシブル回路基板
２３  コネクタ部
２５  凹部
２５Ａ  凹部の底面
２６  連通孔
２７  蓋部
２８  防水部材
３１  孔部
３２  止水部材
４４  受電端子
５１、７１、８１  屈伸部
４１  筐体の内部
４２  筐体の外部
Ｓ  所定間隔
【要約】
【課題】電池パックの交換可能性と防水性、防塵性とのいずれも満足させる携帯端末装置を提供することを目的とする。
【解決手段】携帯端末装置１０は、筐体１１に設けられた凹部２５を閉鎖する閉鎖部（蓋部又はモジュール）と、凹部の底面２５Ａに設けられ、筐体の外部から内部へ液体が通過不可能であるとともに、筐体の内部と外部との間で気体が通過可能である止水部材３２により覆われた孔部３１と、を備える。止水部材は、ポリテトラフルオロエチレンを延伸加工したフィルムと、ポリウレタンポリマーとを複合化したものである。凹部は電池パック１４の収容部の外側に設けられる。孔部は、凹部の底面において、筐体の外部から回路基板１３へのアクセスを可能とする連通孔２６を囲むとともに、凹部の底面と閉鎖部の裏面との間に密着して配置された枠状の防水部材２８の外側に設けられる。
【選択図】図５【図１】
0005528616.tif 000002
【図２】
0005528616.tif 000003
【図３】
0005528616.tif 000004
【図４】
0005528616.tif 000005
【図５】
0005528616.tif 000006
【図６】
0005528616.tif 000007
【図７】
0005528616.tif 000008
【図８】
0005528616.tif 000009
【図９】
0005528616.tif 000010
【図１０】
0005528616.tif 000011
【図１１】
0005528616.tif 000012
【図１２】
0005528616.tif 000013
【図１３】
0005528616.tif 000014